(57)【要約】【課題】上下方向に間隔をおいて並設された棚を有する栽培棚を利用して作業者が作業するに当たり、作業性を向上させることができる移動かご付き栽培棚及び栽培棚用かご装置を提供する。【解決手段】本発明の移動かご付き栽培棚は、栽培棚１と、水平レール３１と、移動かご５とを備える。栽培棚１は、上下方向に間隔をおいて並設されて栽培容器２を載置可能な複数の棚１２を有し、設置面に設置される。水平レール３１は、設置面から上方に離れた位置において栽培棚１に沿って設けられる。移動かご５は、人が搭乗可能な底部６１を有し、水平レール３１により水平レール３１に沿って移動可能に支持される。【選択図】図１
2018196338.tif 000002
【特許請求の範囲】
【請求項１】
上下方向に間隔をおいて並設されて栽培容器を載置可能な複数の棚を有し、設置面に設置された栽培棚と、
前記設置面から上方に離れた位置において前記栽培棚に沿って設けられた水平レールと、
人が搭乗可能な底部を有し、前記水平レールにより前記水平レールに沿って移動可能に支持された移動かごと
を備えている
ことを特徴とする移動かご付き栽培棚。
【請求項２】
前記移動かごを駆動する駆動装置をさらに備えている
ことを特徴とする請求項１記載の移動かご付き栽培棚。
【請求項３】
前記底部は、前記栽培棚に対して上下方向に位置変更可能に構成されている
ことを特徴とする請求項１又は請求項２記載の移動かご付き栽培棚。
【請求項４】
前記水平レールが、前記栽培棚に対して着脱可能に取り付けられている
ことを特徴とする請求項１〜３のいずれか一項に記載の移動かご付き栽培棚。
【請求項５】
前記栽培棚は、
平面視で第１の方向に延びた第一棚部と、
前記第一棚部に対し平面視で前記第１の方向に直交する第２の方向に一定の間隔をおいて並設された第二棚部と
を有し、
前記水平レールは、
前記第２の方向に延びており、前記第一棚部及び第二棚部にわたって設けられた第一レールと、
前記第１の方向に延びており、前記第一棚部と前記第二棚部の間に設けられた第二レールと
を有し、
前記移動かごは、前記第一レール及び前記第二レールにおいて移動可能である
ことを特徴とする請求項１〜４のいずれか一項に記載の移動かご付き栽培棚。
【請求項６】
前記水平レールは、前記第一レールと前記第二レールとの接続部に設けられ、前記移動かごの向きを変更する向き変更部を有している
ことを特徴とする請求項５記載の移動かご付き栽培棚。
【請求項７】
設置面に設置された栽培棚に取り付けられる栽培棚用かご装置であって、
前記設置面から上方に離れた位置において前記栽培棚に沿って取り付けられる水平レールと、
人が搭乗可能な底部を有し、前記水平レールにより前記水平レールに沿って移動可能に支持された移動かごと
を備えている
ことを特徴とする栽培棚用かご装置。
【発明の詳細な説明】
【技術分野】
【０００１】
本発明は、移動かご付き栽培棚及び栽培棚用かご装置に関し、より詳しくは、水耕栽培を行う際に用いられる移動かご付き栽培棚及び栽培棚用かご装置に関するものである。
【背景技術】
【０００２】
特許文献１には、従来の栽培棚が記載されている。この特許文献１記載の栽培棚は、上下方向に間隔をおいて並設された複数の棚板を有しており、この棚板に栽培容器が載置される。
【０００３】
この種の栽培棚は、複数の栽培容器を上下方向に並べることができるため、例えば、植物工場のように、床面積が限られていても、より多くの植物を栽培することができる。
【先行技術文献】
【特許文献】
【０００４】
【特許文献１】特開２０１６−２０２１１０号公報
【発明の概要】
【発明が解決しようとする課題】
【０００５】
ところで、従来の栽培棚において、作業者の背丈よりも高い位置に配置された栽培容器に対して、植物の収穫や植栽を行うには、脚立を利用して作業を行っている。
【０００６】
しかしながら、栽培容器は水平方向にもいくつか並設されているため、脚立を利用して作業を行う従来の栽培棚では、作業者は、栽培容器ごとに脚立を移動させて、昇り降りを繰り返す必要があって作業性が悪い。
【０００７】
本発明は、上記事情に鑑みてなされたものであり、その目的とするところは、上下方向に間隔をおいて並設された棚を有する栽培棚を利用して作業者が作業するに当たり、作業性を向上させることができる移動かご付き栽培棚及び栽培棚用かご装置を提供することにある。
【課題を解決するための手段】
【０００８】
本発明に係る一態様の移動かご付き栽培棚は、上下方向に間隔をおいて並設されて栽培容器を載置可能な複数の棚を有し、設置面に設置された栽培棚と、前記設置面から上方に離れた位置において前記栽培棚に沿って設けられた水平レールと、人が搭乗可能な底部を有し、前記水平レールにより前記水平レールに沿って移動可能に支持された移動かごとを備えていることを特徴とする。
【０００９】
また、本発明に係る一態様の栽培棚用かご装置は、設置面に設置された栽培棚に取り付けられる栽培棚用かご装置であって、前記設置面から上方に離れた位置において前記栽培棚に沿って取り付けられる水平レールと、人が搭乗可能な底部を有し、前記水平レールにより前記水平レールに沿って移動可能に支持された移動かごとを備えていることを特徴とする。
【発明の効果】
【００１０】
本発明の移動かご付き栽培棚及び栽培棚用かご装置によれば、上下方向に間隔をおいて並設された棚を有する栽培棚を利用して作業者が作業するに当たり、作業性を向上させることができる。
【図面の簡単な説明】
【００１１】
【図１】図１は、本発明の実施形態１の移動かご付き栽培棚の使用状態の斜視図である。
【図２】図２は、同上の側面図である。
【図３】図３は、同上の栽培容器の斜視図である。
【図４】図４は、同上の栽培用かご装置の斜視図である。
【図５】図５は、同上の栽培用かご装置の側面図である。
【図６】図６は、変形例１の栽培用かご装置の斜視図である。
【図７】図７は、変形例２の移動かご付き栽培棚の側面図である。
【図８】図８は、同上の栽培用かご装置の斜視図である。
【図９】図９は、変形例３の栽培用かご装置の斜視図である。
【図１０】図１０は、変形例４の栽培用かご装置の斜視図である。
【図１１】図１１は、本発明の実施形態２の移動かご付き栽培棚の要部平面図である。
【図１２】図１２は、同上の向き変更部の斜視図である。
【図１３】図１３は、同上の連結体を説明するための斜視図である。
【図１４】図１４Ａ〜１４Ｃは、同上の向き変更部の動作を示す平面図である。
【発明を実施するための形態】
【００１２】
〔実施形態１〕
以下、本発明の実施形態について添付図面に基づいて説明する。
【００１３】
本実施形態の移動かご付き栽培棚は、図１に示すように、床面等の設置面に設置された栽培棚１と、作業者が搭乗可能な移動かご５を有するかご装置３とを備えている。移動かご５は、栽培棚１に沿って水平方向に移動可能に構成されており、作業者を載せた状態で移動することができる。作業者は、移動かご５に搭乗した状態で植物の収穫や植栽を行うことで、高所作業を行う場合に、脚立を移動させたり、脚立を昇降したりする必要がなく、作業性がよい。
【００１４】
なお、本実施形態にいう「水平方向」とは、重力方向に直交する面（水平面）上の方向のみを意味する厳密な意味での「水平方向」ではなく、水平とみなせる範囲を含む広義の意味での「水平方向」を意味する。例えば、設置面に平行な面に沿う方向については、仮に設置面が勾配を有していても「水平方向」の範疇である。「水平な」等の表現についても同様である。
【００１５】
栽培棚１は、複数の栽培容器２を載置可能なラックである。栽培棚１は、水平方向に互いに間隔をおいて設置面上に配置された複数の棚部１０を備えている。複数の棚部１０は、棚部１０の上方において、互いに連結されている。以下、必要に応じて複数の棚部１０を、第一棚部１０ａ，第二棚部１０ｂ，第三棚部１０ｃ…として説明する。また、平面視における各棚部１０の長手方向を第１の方向とし、第一棚部１０ａ，第二棚部１０ｂ，第三棚部１０ｃ…が並ぶ方向を第２の方向として定義する。本実施形態において第１の方向と第２の方向とは、互いに直交する。
【００１６】
各棚部１０は、複数の支柱１１と、上下方向に間隔をおいた状態で複数の支柱１１に支持された複数の棚１２とを備えている。各支柱１１は、上下方向に延びており、その長手方向が設置面に直交している。各棚１２は、複数の支柱１１に架け渡されており、栽培容器２を載置可能に構成されている。各棚１２は、例えば、棚板により構成されるが、枠体によって構成されてもよく、栽培容器２が載置可能に構成されていればよい。
【００１７】
図２に示すように、複数の棚１２は、上下方向に一定の間隔をおいて配置されている。複数の棚１２のピッチは、例えば、３００〜６００ｍｍである。本実施形態の棚部１０は、設置面から作業できる高さに配置された複数の下段用棚１２１と、移動かご５から作業できる高さに配置された複数の上段用棚１２２とを有している。
【００１８】
栽培容器２は、複数の植物を育成するための容器である。栽培容器２は、第１の方向に延びており、棚部１０の長手方向の全長にわたる長さに形成されている。栽培容器２は、図３に示すように、培養液を貯水可能な容器本体２１と、植物を保持する複数のプレート２２とを備えている。
【００１９】
容器本体２１は、上方に開口部を有する有底箱状に形成されている。各プレート２２は、例えば、発泡スチロール等の樹脂発泡体により構成されており、容器本体２１の開口部の内部に配置されて、培養液に浮くように構成されている。プレート２２は、厚み方向に貫通する複数の貫通孔２２１を有しており、各貫通孔２２１によって植物を培養液に漬けた状態で保持することができる。複数のプレート２２は、栽培容器２の長手方向に並ぶように配置されている。
【００２０】
植物を植栽するには、例えば、栽培容器２の長手方向の一方の端部の開口部に、複数の植物が保持されたプレート２２を配置する。次いで、配置したプレート２２を、栽培容器２の長手方向の他方の端部に向かって移動させ、新たなプレート２２を栽培容器２の長手方向の一方の端部の開口部に配置する。このように、栽培容器２の長手方向に沿って順番に植栽してゆくと、植物の成長度合いを、栽培容器２の長手方向の他端部側に位置するほど、成熟期に近くすることができる。このため、植物を収穫するには、栽培容器２の長手方向の他方の端部の植物が成熟期にあるときに、当該植物を収穫すればよく、栽培容器２の長手方向の中間部分に位置する植物から収穫しなくてはならない事態が生じにくい。
【００２１】
かご装置３は、栽培棚１に取り付けられる。本実施形態のかご装置３は、栽培棚１に対して、取り外し可能に取り付けられるが、溶接等で一体的に取り付けられてもよい。かご装置３は、図４に示すように、水平レール３１と、移動かご５とを備えている。
【００２２】
水平レール３１は、設置面から上方に離れた位置において、栽培棚１に沿って取り付けられている。水平レール３１は、水平方向に沿って延びており、長手方向が第２の方向に平行となるように配置されている。
【００２３】
水平レール３１は、第１の方向に離れた一対の車輪受けレール３１１を備えている。一対の車輪受けレール３１１は、それぞれがリップ溝形鋼により構成されており、開口部３１１ａが対向するように互いに平行に配置される。各車輪受けレール３１１の長手方向は、第２の方向と平行に形成されている。
【００２４】
水平レール３１は、図５に示すように、棚部１０の上端部に取り付けられた複数の吊持部３５を備えている。複数の吊持部３５は、第２の方向に一定の間隔をおいて配置されており、一対の車輪受けレール３１１を上方から支持することができる。吊持部３５は、棚部１０に対して着脱可能に取り付けられている。これにより、吊持部３５は、既存の棚部１０に対して、後付的に取り付け可能である。
【００２５】
移動かご５は、図４に示すように、水平レール３１によって、当該水平レール３１に沿って移動可能に支持されている。移動かご５は、かご本体６と、車輪部７とを備えている。
【００２６】
かご本体６は、移動かご５の主体を構成する部分であり、人（作業者）が搭乗可能なスペースを有する。かご本体６は、底部６１と、フレーム６２とを備えている。底部６１は、人が搭乗して収穫や植栽等の作業を行うことができる足場であり、人が搭乗可能に構成されている。底部６１は、例えば、エキスパンドメタルや金網等の網体や，パンチングメタルや鋼板等の板体等により構成される。
【００２７】
フレーム６２は、底部６１を支持する枠体である。フレーム６２は、底部６１の角部から立ち上げられた複数の縦枠部６２１と、複数の縦枠部６２１の上端部同士を繋ぐ複数の横枠部６３と、柵部６４とを備えている。柵部６４は、縦枠部６２１の上下方向の略中間において、水平方向に対向する縦枠部６２１間に架け渡されている。なお、かご本体６において棚部１０に面する側については、柵部６４が設けられていない。
【００２８】
車輪部７は、かご本体６の上端部に取り付けられており、かご本体６を水平レール３１に沿って移動可能に支持する。車輪部７は、一対の固定桟７１と、複数のベアリングユニット７２と、一対のシャフト７３と、複数のタイヤ７４とを備えている。
【００２９】
各固定桟７１は、第２の方向に離れた横枠部６３間に架設されている。また、一対の固定桟７１は、第１の方向に離れて取り付けられている。各固定桟７１には、第２の方向に離れた状態で２つのベアリングユニット７２が設置されている。第１の方向に並ぶベアリングユニット７２は同心状に配置されており、これらのベアリングユニット７２には、１つのシャフト７３が回転可能に架け渡される。
【００３０】
各シャフト７３は、ベアリングユニット７２に回転可能に支持されており、かご本体６に対して、第１の方向の周りに回転自在である。一対のタイヤ７４は、各シャフト７３の長手方向の両端部に一対一で固定されており、シャフト７３の回転に追従して回転する。
【００３１】
このような構成の移動かご５は、モータのような動力源が設けられていないが、移動かご５に搭乗した作業者が、搭乗したままで、作業しやすい位置に移動させることができる。本実施形態の移動かご５は、搭乗した作業者が、例えば、棚部１０を掴んで自らの方向に手繰り寄せるように力を掛けることで、水平レール３１に沿って移動する。なお、各シャフト７３がかご本体６に対して回転できないように固定されてもよく、この場合、シャフト７３に対してタイヤ７４が回転可能であればよい。
【００３２】
次に、作業者の植物の収穫の手順の一例について説明する。作業者は、例えば、脚立やはしご等を利用して、移動かご５に乗り込む。次いで、作業者は、第一棚部１０ａに向かって、移動かご５を水平に移動させる。作業者は、第一棚部１０ａの端部に位置するプレート２２に保持された植物を、当該プレート２２ごと収穫し、底部６１に載置しておいたボックスに植物を収容する。
【００３３】
作業者は、第一棚部１０ａの収穫を終えた後、第二棚部１０ｂに向かって移動かご５を水平に移動させる。作業者は、第一棚部１０ａと同じように、第二棚部１０ｂの端部に位置するプレート２２に保持された植物を収穫し、底部６１に載置しておいたボックスに植物を収容する。
【００３４】
作業者は、第三棚部１０ｃ以降においても、同じ作業を繰り返す。これにより、作業者は、設置面からでは作業ができない高所での作業を、容易に且つ能率よく行うことができる。
【００３５】
〔水平方向の移動の構造についての変形例〕
（変形例１）
次に、上記実施形態のかご装置３の変形例を説明する。上記実施形態の移動かご５は、作業者が、例えば、棚部１０を掴んで手繰り寄せるようにして、力を掛けて移動させたが、例えば、図６に示すように、移動かご５を駆動する駆動装置７５を設置してもよい。以下、この変形例を変形例１という。
【００３６】
変形例１の移動かご５は、手動でタイヤ７４を駆動する駆動装置７５を備えている。駆動装置７５は、回転ハンドル７６と、回転ハンドル７６に設けられた駆動プーリー７７と、シャフト７３に設けられた従動プーリー７８と、駆動プーリー７７と従動プーリー７８とを連結するタイミングベルト７９とを備えている。回転ハンドル７６を回転すると、回転ハンドル７６は駆動プーリー７７を回転させる。駆動プーリー７７は、回転ハンドル７６により回転すると、タイミングベルト７９を介して従動プーリー７８を回転させる。従動プーリー７８は、回転に従ってシャフト７３を回転させる。これによって、駆動装置７５は、タイヤ７４を回転させることができ、移動かご５を水平レール３１に対して移動させることができる。
【００３７】
なお、変形例１の移動かご５は、回転ハンドル７６を用いて、作業者が手動で移動させるように構成されたが、回転ハンドル７６に代えて、例えば、モータを用いることもできる。
【００３８】
〔上下方向の移動の構造についての変形例〕
（変形例２）
上記実施形態のかご装置３は、移動かご５が水平方向にのみ移動可能に構成されたが、例えば、図７，８に示すように、水平方向の移動に加えて、上下方向に移動可能に構成されてもよい。以下、この変形例を変形例２という。
【００３９】
変形例２の栽培棚１は、複数の上段用棚１２２として６段の棚１２が設けられ、複数の下段用棚１２１として５段の棚１２が設けられている。
【００４０】
変形例２の移動かご５は、図７に示すように、各縦枠部６２１が伸縮可能に構成されており、底部６１が栽培棚１に対して上下方向に位置変更可能に構成されている。各縦枠部６２１は、図８に示すように、第１の立設部６２２と、第１の立設部６２２に対しスライド可能に構成された第２の立設部６２４と、固定ピン６２６とを備えている。
【００４１】
第１の立設部６２２は、底部６１の上面の角部から立ち上げられている。第１の立設部６２２は、長手方向が鉛直方向に平行な角パイプにより構成されている。第１の立設部６２２には、第１の方向に貫通する複数の貫通孔６２３が形成されている。複数の貫通孔６２３は、上下方向に所定のピッチで形成されている。
【００４２】
第２の立設部６２４は、中空の角パイプにより構成されており、第１の立設部６２２を内部に収容する。第２の立設部６２４の上端部同士は、横枠部６３によって連結されている。第２の立設部６２４の下端部は下方に開放しており、当該下端部の側面には、第１の方向に貫通する１つの差込孔６２５が形成されている。
【００４３】
固定ピン６２６は、差込孔６２５と貫通孔６２３とが第１の方向に重なった状態において、差込孔６２５と貫通孔６２３とに挿入される。これによって、固定ピン６２６は、第１の立設部６２２と第２の立設部６２４とを相対的に移動不能とさせる。固定ピン６２６は、棒状に形成されており、先端が他の部分に対して略直角に折曲されており、抜け止めになっている。また、固定ピン６２６はボルト等であってもよく、この場合、貫通孔６２３の内周面にめねじが切られていればよい。
【００４４】
各縦枠部６２１は、固定ピン６２６を挿入する貫通孔６２３が、第１の立設部６２２に形成された複数の貫通孔６２３のうちの１つを選択することで決定される。これにより、各縦枠部６２１は、上下方向に伸縮可能であると共に、所定長さで固定することができる。
【００４５】
このように、変形例２の移動かご５によれば、水平方向に移動可能であることに加えて、底部６１が上下方向に位置変更可能に構成される。このため、水平方向に並ぶ第一棚部１０ａ，第二棚部１０ｂ，第三棚部１０ｃ…に対し、一定の高さ位置で作業ができるだけでなく、高さ位置を変えた上で、一定の高さ位置で作業を行うことができる。例えば、１段目の作業後、移動かご５の底部６１を２段目に上昇させて２段目の作業を行い、その後、底部６１を３段目に上昇させて３段目の作業を行うことができる。従って、変形例２の移動かご５によれば、栽培棚１が上下方向に多数存在しても、容易に且つ能率よく作業を行うことができる。
【００４６】
なお、貫通孔６２３及び差込孔６２５の貫通方向は、第２の方向に平行に形成されてもよい。
【００４７】
（変形例３）
変形例２における移動かご５の底部６１の上下方向の位置変更は、例えば、図９に示すような構成によっても実現される。以下、この変形例を変形例３という。
【００４８】
変形例３のかご装置３は、水平レール３１として、支持レール３２と、吊持部３５とを備えている。支持レール３２は、第２の方向に延びたリップ溝形鋼により構成されており、開口部が下方に臨んでいる。支持レール３２には、かご本体６に設けられた車輪部７が、支持レール３２の長手方向に沿って移動可能に支持されている。
【００４９】
車輪部７は、かご本体６を支持レール３２の長手方向に沿って移動可能とし、且つ上下方向に移動可能とさせる。車輪部７は、支持レール３２の長手方向に沿って移動可能に構成されたスライド部８０と、スライド部８０に対して昇降可能な昇降部８８と、昇降部８８を上下方向に移動させる昇降装置８５とを備えている。
【００５０】
スライド部８０は、下方に開口部を有するリップ溝形鋼により構成されたスライド体８１と、スライド体８１を吊り下げる一対の吊下部８２とを備えている。一対の吊下部８２は、スライド体８１の長手方向の両端部に設けられている。吊下部８２は、支持レール３２の内部において転動可能なローラー部８３と、ローラー部８３から下方に延出しスライド体８１に連結される吊下体８４とを備えている。
【００５１】
昇降装置８５は、スライド体８１の内部に収容された巻取機８６と、巻取機８６により巻き取り・繰り出し可能なワイヤーロープ８７とを備えている。巻取機８６は、例えば、電動ホイストにより構成される。ワイヤーロープ８７の先端部は、スライド体８１に固定されており、ワイヤーロープ８７の先端部と基端部（巻取機８６により巻き取られた部分）との間に、昇降部８８に設けられたシーブ９０が掛けられている。
【００５２】
昇降部８８は、上方に開口部を有するリップ溝形鋼により構成された移動台８９と、移動台８９の内部においてワイヤーロープ８７に掛けられた一対のシーブ９０とを備えている。移動台８９は、かご本体６に固定されている。一対のシーブ９０は、支持レール３２の長手方向に離れた状態で、移動台８９に対して回転可能に取り付けられている。
【００５３】
巻取機８６は、移動かご５に搭乗した作業者によって操作される。作業者が、巻取機８６によってワイヤーロープ８７を巻き取るように操作すると、かご本体６が上昇し、これに伴って底部６１の位置が上方に移動する。一方、作業者が、巻取機８６によってワイヤーロープ８７を繰り出すように操作すると、かご本体６が下降し、これに伴って底部６１の位置が下方に移動する。
【００５４】
また、本実施形態のかご本体６は、栽培棚１に対し水平方向に架け渡された横架材１３に引っ掛け可能な引掛け部９１を有する。引掛け部９１は、縦枠部６２１に対し、第２の方向の周りに回転可能に構成されている。引掛け部９１は、かご本体６が作業に適した場所に位置した状態で、横架材１３に引っ掛けられる。これにより、かご本体６は、栽培棚１に固定され、作業時の安定性が向上するため、作業性が損なわれるのを防ぐことができる。なお、図中の横架材１３は、１つであるが、上下方向に複数設けられている。
【００５５】
昇降部８８において、ワイヤーロープ８７は、チェーンであってもよい。
【００５６】
（変形例４）
かご装置３において、かご本体６の底部６１の上下方向の位置変更の構造は、例えば、図１０に示すような構造であってもよい。以下、この変形例を変形例４という。
【００５７】
本変形例のかご装置３は、変形例３と同様、水平方向の移動に加えて、上下方向へも移動可能に構成されている。かご装置３は、水平レール３１と、移動かご５とを備えている。本変形例の水平レール３１は、第１の方向に離れた一対のＨ型鋼３６により構成されている。各Ｈ型鋼３６は、第２の方向に延びている。
【００５８】
移動かご５の車輪部７は、支持枠９２と、支持枠９２の上面に固定された複数のプレーントロリー９５とを備えている。複数のプレーントロリー９５は、Ｈ型鋼３６の対向するフランジ片３６１の間に収容されて下側のフランジ片３６１の上面を転動する。
【００５９】
支持枠９２は、基台部９３と、基台部９３から下方に延びたガイド部９４とを備えている。ガイド部９４は、かご本体６側に開口したリップ溝形鋼により構成される。基台部９３にはプレーントロリー９５が固定されている。これによって、基台部９３は、水平レール３１の長手方向に沿って移動可能に構成されている。
【００６０】
かご本体６は、ガイド部９４の長手方向に沿って移動可能な複数の内ローラー９６を有する。内ローラー９６は、ガイド部９４の内部に収容された状態で、ガイド部９４の内面を転動する。複数の内ローラー９６は、上下方向に離れて配置されている。
【００６１】
また、かご本体６は、基台部９３に設置されたエアホイスト９７によって吊持されている。エアホイスト９７がチェーン９７ａを巻き取ると、かご本体６がガイド部９４に沿って上昇し、これに伴って底部６１の位置が上方に移動する。一方、エアホイスト９７がチェーン９７ａを繰り出すと、かご本体６が下降し、これに伴って底部６１の位置が下方に移動する。なお、図中の符号９８は、エアホイスト９７の駆動用のガスボンベである。
【００６２】
このように、作業者は、エアホイスト９７を操作することで、移動かご５の底部６１を、上下方向に位置変更することができる。
【００６３】
〔実施形態２〕
次に、実施形態２について説明する。なお、実施形態２は、実施形態１と大部分において同じであるため、同じ部分においては同符号を付して説明を省略し、主に異なる部分について説明する。
【００６４】
本実施形態の移動かご付き栽培棚は、図１１に示すように、移動かご５が、栽培棚１の棚部１０の長手方向の端部において、第２の方向に移動するだけでなく、隣り合う棚部１０の間において、第１の方向にも移動可能に構成されている。本実施形態の水平レール３１は、第一レール３３と、第二レール３４と、向き変更部４とを備えている。移動かご５は、第一レール３３と第二レール３４とに沿って移動することができる。
【００６５】
第一レール３３は、実施形態１と同様、第２の方向に延びている。第一レール３３は、各棚部１０の長手方向の端部に対応する位置に配置された複数の分割レール３３１を備えている。複数の分割レール３３１は、第一棚部１０ａ，第二棚部１０ｂ，第三棚部１０ｃ…の全長にわたって設けられている。複数の分割レール３３１の間には、向き変更部４が配置されており、複数の分割レール３３１は、向き変更部４を介して接続されている。
【００６６】
第二レール３４は、第１の方向に延びている。第二レール３４は、各棚部１０の長手方向に沿って延びており、各棚部１０の長手方向の全長にわたって形成されている。第二レール３４は、隣り合う棚部１０の間に配置されている。第二レール３４の長手方向の端部は、向き変更部４に対向する。
【００６７】
向き変更部４は、第一レール３３と第二レール３４との接続部に設けられている。向き変更部４は、移動かご５の向きを、第一レール３３に沿って移動する向きと、第二レール３４に沿って移動する向きとの間で、変更することができる。向き変更部４は、図１２に示すように、回転レール４１と、複数の連結体４１３とを備えている。この向き変更部４は、栽培棚１に設けられた支持フレーム４２に支持されている。
【００６８】
支持フレーム４２は、栽培棚１に固定されており、回転レール４１を鉛直軸回りに回転可能に支持する。支持フレーム４２は、隣り合う棚部１０にまたがって取り付けられている。支持フレーム４２は、回転レール４１の回転軸４１４を第一レール３３の幅方向の中央部で支持できるように、棚部１０から第一レール３３の幅方向の中央部まで延びている。
【００６９】
回転レール４１は、支持フレーム４２に対し鉛直軸回りに回転可能に支持されている。回転レール４１は、第一レール３３の一対の車輪受けレール３１１にそれぞれ平行な一対の移動レール４１１と、一対の移動レール４１１を長手方向の中央部で連結する連結フレーム４１２とを備えている。連結フレーム４１２は、支持フレーム４２によって長手方向の中央部で軸支されている。一対の移動レール４１１と一対の車輪受けレール３１１とが接続されると、移動かご５は、第一レール３３に沿って移動することができる。
【００７０】
複数の連結体４１３は、車輪受けレール３１１と移動レール４１１とを相互に連結することができる。各連結体４１３は、図１３に示すように、第一レール３３の車輪受けレール３１１又は第二レール３４の車輪受けレール３１１にスライド可能に取り付けられており、各車輪受けレール３１１の端部と移動レール４１１との端部同士が対向した状態で、移動レール４１１に向かってスライドさせる。これにより、車輪受けレール３１１の端部と移動レール４１１の端部とが、連結体４１３を介して相互に連結されるため、車輪受けレール３１１と移動レール４１１とを移動かご５が移動することができる。なお、連結体４１３は、車輪受けレール３１１と移動レール４１１とを連結した状態で押しボルト等で固定されてもよい。
【００７１】
次に、向き変更部４の動作について説明する。
【００７２】
図１４Ａに示すように、第一レール３３に沿って移動する移動かご５が、向き変更部４において停止する。この後、図１４Ｂに示すように、回転レール４１が鉛直軸回りに回転し、移動レール４１１の長手方向が９０°回転すると、移動かご５の向き（移動方向）が、第２の方向に平行な方向から、第１の方向に平行な方向に変更され、９０°向きを変える。
【００７３】
この後、図１４Ｃに示すように、移動かご５が第２の方向に向かって移動し、第二レール３４に沿って移動することができる。なお、第二レール３４から第一レール３３への移動かご５の移動は、上記と逆の手順で行われるため説明を省略する。
【００７４】
これによって、移動かご５は、第一レール３３だけでなく、第二レール３４においても移動することができ、作業者の作業性を向上させることができる。なお、向き変更部４を設けなくてもよい。この場合、移動かご５は回転しないが、作業者の作業する位置を変えることで、作業を行うことができる。
【００７５】
〔効果〕
以上説明した第１の実施形態，変形例１〜４，第２実施形態の移動かご付き栽培棚は、以下に示す特徴を有している。移動かご付き栽培棚は、栽培棚１と、水平レール３１と、移動かご５とを備えている。栽培棚１は、上下方向に間隔をおいて並設されて栽培容器２を載置可能な複数の棚１２を有し、設置面に設置される。水平レール３１は、設置面から上方に離れた位置において栽培棚１に沿って設けられる。移動かご５は、人が搭乗可能な底部６１を有し、水平レール３１により水平レール３１に沿って移動可能に支持される。以下、この特徴を有する移動かご付き栽培棚を第１の態様の移動かご付き栽培棚という。
【００７６】
第１の態様の移動かご付き栽培棚によれば、作業者は、設置面からでは作業ができない高所での収穫または植栽の作業（植栽収穫作業）を、例えば脚立等の昇降を繰り返すことなく行うことができ、高所での植栽収穫作業を容易に且つ能率よく行うことができる。その上、水平レール３１が設置面から上方に離れた位置に設けられているため、作業者の足場を広く且つフラットにすることができ、作業のし易さが向上する上に、排水性や清掃性を向上させることができる。
【００７７】
また、変形例１の移動かご付き栽培棚は、第１の態様の移動かご付き栽培棚の特徴に加えて、以下に示す付加的な特徴を有する。移動かご付き栽培棚は、移動かご５を駆動する駆動装置７５をさらに備えている。以下、この移動かご付き栽培棚を第２の態様の移動かご付き栽培棚という。
【００７８】
第２の態様の移動かご付き栽培棚によれば、移動かご５の移動を容易に行うことができて、作業者の作業性を向上させることができる。
【００７９】
また、変形例２〜４の移動かご付き栽培棚は、第１又は第２の態様の移動かご付き栽培棚の特徴に加えて、以下に示す付加的な特徴を有する。移動かご付き栽培棚において、底部６１は、栽培棚１に対して上下方向に位置変更可能に構成されている。以下、この移動かご付き栽培棚を第３の態様の移動かご付き栽培棚という。
【００８０】
第３の態様の移動かご付き栽培棚によれば、栽培棚１が上下方向の多数の棚１２を有していても、作業者の作業性を向上させることができる。
【００８１】
また、第１の実施形態，変形例１〜４，第２実施形態の移動かご付き栽培棚は、第１〜３のいずれかの態様の移動かご付き栽培棚の特徴に加えて、以下に示す付加的な特徴を有する。移動かご付き栽培棚において、水平レール３１が、栽培棚１に対して着脱可能に取り付けられている。以下、この移動かご付き栽培棚を第４の態様の移動かご付き栽培棚という。
【００８２】
第４の態様の移動かご付き栽培棚によれば、既に設置された栽培棚１に対しても、後付的に水平レール３１と移動かご５とを設置することができる。
【００８３】
また、第２の実施形態の移動かご付き栽培棚は、第１〜４のいずれかの態様の移動かご付き栽培棚の特徴に加えて、以下に示す付加的な特徴を有する。栽培棚１は、平面視で第１の方向に延びた第一棚部１０ａと、第一棚部１０ａに対し平面視で前記第１の方向に直交する第２の方向に一定の間隔をおいて並設された第二棚部１０ｂとを有する。水平レール３１は、第一レール３３と、第二レール３４とを有する。第一レール３３は、第２の方向に延びており、第一棚部１０ａ及び第二棚部１０ｂにわたって設けられる。第二レール３４は、第１の方向に延びており、第一棚部１０ａと第二棚部１０ｂの間に設けられる。移動かご５は、第一レール３３及び第二レール３４において移動可能である。以下、この移動かご付き栽培棚を第５の態様の移動かご付き栽培棚という。
【００８４】
第５の態様の移動かご付き栽培棚によれば、移動かご５を栽培棚１の周囲にわたって移動させることができるため、より一層、作業者の作業性を向上させることができる。
【００８５】
また、第２の実施形態の移動かご付き栽培棚は、第５の態様の移動かご付き栽培棚の特徴に加えて、以下に示す付加的な特徴を有する。移動かご付き栽培棚において、水平レール３１は、第一レール３３と第二レール３４との接続部に設けられ、移動かご５の向きを変更する向き変更部４を有している。以下、この移動かご付き栽培棚を第６の態様の移動かご付き栽培棚という。
【００８６】
第６の態様の移動かご付き栽培棚によれば、作業者は、進行方向に対する作業者の向きを変える必要がないため、作業性を一層向上させることができる。
【００８７】
また、第１の実施形態，変形例１〜４，第２実施形態の栽培棚用かご装置３は、以下に示す特徴を有している。栽培棚用かご装置３は、設置面に設置された栽培棚１に取り付けられる栽培棚用かご装置３である。栽培棚用かご装置３は、水平レール３１と、移動かご５とを備えている。水平レール３１は、設置面から上方に離れた位置において前記栽培棚１に沿って取り付けられる。移動かご５は、人が搭乗可能な底部６１を有し、水平レール３１により水平レール３１に沿って移動可能に支持される。以下、この特徴を有する栽培棚用かご装置３を第１の態様の栽培棚用かご装置３という。
【００８８】
第１の態様の栽培棚用かご装置３によれば、作業者は、設置面からでは作業ができない高所での植栽収穫作業を、例えば脚立等の昇降を繰り返すことなく行うことができ、高所での植栽収穫作業を容易に且つ能率よく行うことができる。その上、水平レール３１が設置面から上方に離れた位置に設けられているため、作業者の足場を広く且つフラットにすることができ、作業のし易さが向上する上に、排水性や清掃性が向上する。
【符号の説明】
【００８９】
１        栽培棚
１０ａ    第一棚部
１０ｂ    第二棚部
３        かご装置（栽培棚用かご装置）
３１      水平レール
３３      第一レール
３４      第二レール
４        向き変更部
５        移動かご
６１      底部
７５      駆動装置
【図１】
2018196338.tif 000003
【図２】
2018196338.tif 000004
【図３】
2018196338.tif 000005
【図４】
2018196338.tif 000006
【図５】
2018196338.tif 000007
【図６】
2018196338.tif 000008
【図７】
2018196338.tif 000009
【図８】
2018196338.tif 000010
【図９】
2018196338.tif 000011
【図１０】
2018196338.tif 000012
【図１１】
2018196338.tif 000013
【図１２】
2018196338.tif 000014
【図１３】
2018196338.tif 000015
【図１４】
2018196338.tif 000016